(57)【要約】【課題】床暖房パネル用ヘッダと熱源とを接続する際の部品点数の減少および床暖房パネル用ヘッダと熱源機との接続作業の簡素化を図ること。【解決手段】板状のヘッダ本体６の外側面部に、熱媒受入用接続部７、熱媒戻し用接続部８、熱媒供給部９、および、熱媒排出部１０が備えられ、ヘッダ本体６の内部に、熱媒供給用連通路、および、熱媒戻し用連通路が形成され、熱媒受入用接続部７は、ヘッダ本体６の基端部から外方側に延びる受入用管１５を備え、その受入用管１５が、両端部の間の途中部分を直線状とする非屈曲状態と途中部分を９０度またはほぼ９０度屈曲させる屈曲状態とに屈曲可能に構成され、熱媒戻し用接続部８は、ヘッダ本体６の基端部から外方側に延びる戻し用管１６を備え、その戻し用管１６が、両端部の間の途中部分を直線状とする非屈曲状態と途中部分を９０度またはほぼ９０度屈曲させる屈曲状態とに屈曲可能に構成されている。【選択図】        図２
2004332957.tif 000002
【特許請求の範囲】
【請求項１】
板状のブロック体からなるヘッダ本体の外側面部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部に、前記熱媒受入用接続部と前記熱媒供給部とを連通接続する熱媒供給用連通路、および、前記熱媒戻し用接続部と前記熱媒排出部とを連通接続する熱媒戻し用連通路が形成されて構成されている床暖房パネル用熱媒ヘッダであって、
前記熱媒受入用接続部は、前記ヘッダ本体の基端部から外方側に延びる受入用管を備え、その受入用管が、両端部の間の途中部分を直線状とする非屈曲状態と途中部分を９０度またはほぼ９０度屈曲させる屈曲状態とに屈曲可能に構成され、
前記熱媒戻し用接続部は、前記ヘッダ本体の基端部から外方側に延びる戻し用管を備え、その戻し用管が、両端部の間の途中部分を直線状とする非屈曲状態と途中部分を９０度またはほぼ９０度屈曲させる屈曲状態とに屈曲可能に構成されている床暖房パネル用熱媒ヘッダ。
【請求項２】
前記受入用管および前記戻し用管は、その長手方向のいずれの箇所においても屈曲可能な可撓管にて構成されている請求項１に記載の床暖房パネル用熱媒ヘッダ。
【請求項３】
前記受入用管の端部には、前記熱源からの熱源用往き管の接続部を外周部の凹部に嵌合させる嵌合式受入用継手が設けられ、前記戻し用管の端部には、前記熱源への熱源用戻し管の接続部を外周部の凹部に嵌合させる嵌合式戻し用継手が設けられている請求項１または２に記載の床暖房パネル用熱媒ヘッダ。
【請求項４】
前記熱媒供給用連通路が、前記ヘッダ本体の上下方向に薄い偏平な受入用空間にて構成され、前記熱媒戻し用連通路が、前記ヘッダ本体の上下方向に薄い戻し用空間にて構成されている請求項１〜３のいずれか１項に記載の床暖房パネル用熱媒ヘッダ。
【発明の詳細な説明】
【０００１】
【発明の属する技術分野】
本発明は、板状のブロック体からなるヘッダ本体の外側面部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、前記ヘッダ本体の内部に、前記熱媒受入用接続部と前記熱媒供給部とを連通接続する熱媒供給用連通路、および、前記熱媒戻し用接続部と前記熱媒排出部とを連通接続する熱媒戻し用連通路が形成されて構成されている床暖房パネル用熱媒ヘッダに関する。
【０００２】
【従来の技術】
上記のような床暖房パネル用熱媒ヘッダは、熱媒受入用接続部に熱源からの熱源用往き管を接続し、熱媒戻し用接続部に熱源への熱源用戻し管を接続し、熱媒供給部に床暖房パネルにおける熱媒流通管の熱媒入口を接続し、熱媒排出部に床暖房パネルにおける熱媒流通管の熱媒出口を接続して使用され、熱源からの熱源用往き管を通して供給される熱媒を分流させて床暖房パネルにおける熱媒流通管に供給するとともに、床暖房パネルにおける熱媒流通管を通過してから戻ってくる熱媒を合流させて熱源への熱源用戻し管を通して熱源に戻すためのものである。
【０００３】
上記のような床暖房パネル用熱媒ヘッダにおいて、従来では、ヘッダ本体の外側面部のうちのひとつに、熱媒受入用接続部と熱媒戻し用接続部とがヘッダ本体の外周方向に並ぶように設けられ、熱媒受入用接続部は、ヘッダ本体の基端部から外方側に延びる直線状の受入用継手を備え、熱媒戻し用接続部は、ヘッダ本体の基端部から外方側に延びる直線状の戻し用継手を備えて構成されている（例えば、特許文献１参照。）。
【０００４】
このような床暖房パネル用熱媒ヘッダを備えた床暖房パネルを暖房対象の床面に設置するときには、まず、床暖房パネルと床暖房パネル用熱媒ヘッダとを接続し、その床暖房パネルと床暖房パネル用熱媒ヘッダとを暖房対象の床面に敷設して、暖房対象の部屋の近くに配管されている熱源からの熱源用往き管および熱源への熱源用戻し管と床暖房パネル用熱媒ヘッダとを接続して、床暖房パネル用熱媒ヘッダと熱源とを接続するようにしている。
説明を加えると、まず、工場などで床暖房パネルを組み立てる際に、熱媒供給部と床暖房パネルにおける熱媒流通管の熱媒入口とを接続し、熱媒排出部と床暖房パネルにおける熱媒流通管の熱媒出口とを接続して、床暖房パネルと床暖房パネル用熱媒ヘッダとを接続する。
そして、接続されている床暖房パネルと床暖房パネル用熱媒ヘッダとを暖房対象の床面に敷設した状態で、受入用継手と熱源からの熱源用往き管の接続部とを接続し、戻し用継手と熱源機への熱源用戻し管の接続部とを接続して、床暖房パネル用熱媒ヘッダと熱源とを接続するようにしている。
【０００５】
以下、床暖房パネル用熱媒ヘッダと熱源との接続について説明を加えるが、床暖房パネルを設置する部屋の床下に配管されている熱源用往き管および熱源用戻し管と床暖房パネル用熱媒ヘッダを接続する場合には、床下配管を行うので、床下配管について説明を加える。
例えば、図９に示すように、ヘッダ本体６の基端部から外方側に延びる受入用継手３２と戻し用継手３６とを備えている床暖房パネル用熱媒ヘッダ４と熱源とを接続する場合を例に挙げて説明する。
ちなみに、図９に示す床暖房パネル用熱媒ヘッダ４において、ヘッダ本体６の外側面部のうち、受入用継手３２と戻し用継手３６とが設けられている側面部に隣接する側面部には、熱媒供給部９の配設位置と熱媒排出部１０の配設位置とが対向する状態で、熱媒供給部９と熱媒排出部１０とがヘッダ本体６の外周方向に交互に並ぶように熱媒供給部９の２つと熱媒排出部１０の２つが配設されている。
【０００６】
床下配管を行う場合には、例えば、図１０に示すように、ヘッダ本体６から延びる受入用継手３２に樹脂管３３を嵌め込んだ状態で樹脂管バンド３４を装着して、受入用継手３２に樹脂管３３を接続し、その樹脂管３３にＬ字状のエルボ継手３７を嵌め込んだ状態で樹脂管バンド３４を装着して、樹脂管３３にエルボ継手３７を接続し、そのエルボ継手３７を床面の孔部３８に挿入して、床下へ配管を落とし込み、床下に配管されている熱源用往き管３５の端部の近くまでエルボ継手３７を配管させて、エルボ継手３７と熱源用往き管３５とを接続するようにしている。
また、戻し用継手と熱源用戻し管との接続については、上述の受入用継手と熱源用往き管との接続と同様にして、樹脂管３３、エルボ継手３７および樹脂管バンド３４を用いて行うようにしている。
【０００７】
また、床暖房パネル用熱媒ヘッダと熱源とを接続する場合に、床暖房パネルを設置する部屋の壁部側に、熱源用往き管および熱源用戻し管が配管されていると、床下配管ではなく、床上配管にて熱源用往き管および熱源用戻し管と床暖房パネル用熱媒ヘッダを接続するようにしている。
説明を加えると、床上配管を行う場合には、例えば、図１１に示すように、ヘッダ本体６から延びる受入用継手３２に、壁部から延びる熱源用往き管または熱源用往き管に接続されている樹脂管３３を嵌め込み、樹脂管バンド３４を装着して受入用継手３２に樹脂管３３を接続するようにしている。
また、戻し用継手３６と熱源用戻し管との接続についても、上述の受入用継手と熱源用往き管との接続と同様にして、樹脂管３３および樹脂管バンド３４を用いて行うようにしている。
【０００８】
【特許文献１】
特開平９−２６９１３５号公報
【０００９】
【発明が解決しようとする課題】
上記従来の床暖房パネル用熱媒ヘッダでは、床下配管を行う場合に、床下へ配管を落とし込むために、樹脂管に加えて、エルボ継手が必要となり、床暖房パネル用ヘッダと熱源とを接続する際の部品点数が多くなる。
そして、受入用継手と樹脂管とを接続したうえに、その樹脂管と熱源用往き管や熱源用戻し管とを接続しなければならず、床暖房パネル用ヘッダと熱源との接続作業が手間のかかるものとなる。
また、床下配管を行う場合には、床面に存在する障害物によって、床暖房パネル用熱媒ヘッダと床面の孔部との距離が一定ではないので、樹脂管をカットして樹脂管の長さを調整する必要があり、この点からも、床暖房パネル用ヘッダと熱源との接続作業が手間のかかるものとなる。
【００１０】
本発明は、かかる点に着目してなされたものであり、その目的は、床暖房パネル用ヘッダと熱源とを接続する際の部品点数の減少および床暖房パネル用ヘッダと熱源機との接続作業の簡素化を図ることができる床暖房パネル用熱媒ヘッダを提供する点にある。
【００１１】
【課題を解決するための手段】
この目的を達成するために、請求項１に記載の発明によれば、板状のブロック体からなるヘッダ本体の外側面部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部に、前記熱媒受入用接続部と前記熱媒供給部とを連通接続する熱媒供給用連通路、および、前記熱媒戻し用接続部と前記熱媒排出部とを連通接続する熱媒戻し用連通路が形成されて構成されている床暖房パネル用熱媒ヘッダにおいて、
前記熱媒受入用接続部は、前記ヘッダ本体の基端部から外方側に延びる受入用管を備え、その受入用管が、両端部の間の途中部分を直線状とする非屈曲状態と途中部分を９０度またはほぼ９０度屈曲させる屈曲状態とに屈曲可能に構成され、
前記熱媒戻し用接続部は、前記ヘッダ本体の基端部から外方側に延びる戻し用管を備え、その戻し用管が、両端部の間の途中部分を直線状とする非屈曲状態と途中部分を９０度またはほぼ９０度屈曲させる屈曲状態とに屈曲可能に構成されていることを特徴とする。
【００１２】
すなわち、床暖房パネル用熱媒ヘッダと熱源とを接続する際には、熱媒受入用接続部に備えられる受入用管と熱源からの熱源用往き管とを接続し、熱媒戻し用接続部に備えられる戻し用管と熱源への熱源用戻し管とを接続して、床暖房パネル用熱媒ヘッダと熱源とを接続することになる。
そして、受入用管と戻し用管とは、ともに、途中部分を直線状とする非屈曲状態と途中部分を９０度またはほぼ９０度屈曲させる屈曲状態とに屈曲可能に構成されているので、単に、受入用管および戻し用管を屈曲状態にするだけで、床下に配管を落とし込んで、床下配管にて床暖房パネル用熱媒ヘッダと熱源とを接続することができることになる。
【００１３】
説明を加えると、床下配管を行う場合には、受入用管を屈曲状態にして、床面の孔部に受入用管を挿入することにより、受入用管を床下に落とし込んで、床下に配管されている熱源用往き管の端部の近くまで受入用管を配管させて、受入用管と熱源用往き管とを接続することができることになる。
また、戻し用管についても、戻し用管を屈曲状態にして、床面の孔部に戻し用管を挿入することにより、戻し用管を床下に落とし込んで、熱源用戻し管の端部の近くまで戻し用管を配管させて、戻し用管と熱源への熱源用戻し管とを接続することができることになる。
したがって、受入用管および戻し用管を屈曲状態にして、床面の孔部に受入用管および戻し用管を挿入するだけで、床暖房パネル用熱媒ヘッダと熱源とを接続することができることになる。
【００１４】
しかも、床下配管を行う場合には、床面に存在する障害物によって、床暖房パネル用熱媒ヘッダと床面の孔部との距離が一定ではなくても、受入用管および戻し用管を屈曲させる箇所を変更することにより、床面の孔部に受入用管および戻し用管とを挿入することができることになるので、床暖房パネル用熱媒ヘッダの設置状況が変わっても、受入用管および戻し用管を屈曲状態にするだけで対応することができることになる。
【００１５】
また、床上配管を行う場合であっても、受入用管を非屈曲状態にすることにより、暖房対象の部屋の壁部の内部などに配管されている熱源用往き管の端部の近くまで受入用管を配管させて、受入用管と熱源用往き管とを接続することができることになる。
また、戻し用管についても、戻し用管を非屈曲状態にすることにより、熱源用戻し管の端部の近くまで戻し用管を配管させて、戻し用管と熱源用戻し管とを接続することができることになる。
したがって、床上配管を行う場合であっても、受入用管および戻し用管を非屈曲状態にするだけで、床暖房パネル用熱媒ヘッダと熱源とを接続することができることになる。
【００１６】
以上のことから、請求項１に記載の発明によれば、単に、受入用管および戻し用管を屈曲状態にして、床面の孔部に受入用管および戻し用管を挿入するだけで、床下配管を行うことができ、床上配管を行う場合であっても、受入用管および戻し用管を非屈曲状態にするだけで行うことができることとなって、床暖房パネル用ヘッダと熱源とを接続する際の部品点数の減少および床暖房パネル用ヘッダと熱源機との接続作業の簡素化を図ることができる床暖房パネル用熱媒ヘッダを提供できるに至った。
【００１７】
請求項２に記載の発明によれば、前記受入用管および前記戻し用管は、その長手方向のいずれの箇所においても屈曲可能な可撓管にて構成されていることを特徴とする。
【００１８】
すなわち、受入用管および戻し用管は、屈曲させる箇所や屈曲させる角度を自由に変更することができる可撓管にて構成されているので、熱源用往き管および熱源用戻し管の配管箇所と床暖房パネル用熱媒ヘッダとの相対位置がどのような位置であっても、受入用管および戻し用管を屈曲させる箇所や屈曲させる角度を自由に変更して、受入用管と熱源用往き管との接続、および、戻し用管と熱源用戻し管との接続を行うことができることになる。
したがって、床暖房パネル用熱媒ヘッダを設置する設置状況に応じて、受入用管および戻し用管を屈曲させる箇所や屈曲させる角度を自由に変更するだけで対応することができることとなって、設置作業を容易なものとしながら、設置状況の変化に対応することができることになる。
【００１９】
請求項３に記載の発明によれば、前記受入用管の端部には、前記熱源からの熱源用往き管の接続部を外周部の凹部に嵌合させる嵌合式受入用継手が設けられ、前記戻し用管の端部には、前記熱源への熱源用戻し管の接続部を外周部の凹部に嵌合させる嵌合式戻し用継手が設けられていることを特徴とする。
【００２０】
すなわち、熱源用往き管の接続部に、嵌合式受入用継手の内部に挿入される挿入部と、その挿入部を嵌合式受入用継手の内部に挿入させることにより嵌合式受入用継手の外周部の全周にわたって形成される凹部に嵌合してその嵌合した状態に保持する保持部とを備えることによって、その熱源用往き管の接続部を嵌合式受入用継手に嵌合させるだけで、受入用管と熱源用往き管とを接続することができることになる。
また、熱源用戻し管の接続部に、嵌合式戻し用継手の内部に挿入される挿入部と、その挿入部を嵌合式戻し用継手の内部に挿入させることにより嵌合式戻し用継手の外周部の全周にわたって形成される凹部に嵌合してその嵌合した状態に保持する保持部とを備えることによって、その熱源用戻し管の接続部を嵌合式戻し用継手に嵌合させるだけで、戻し用管と熱源用戻し管とを接続することができることになる。
したがって、受入用管と熱源用往き管との接続、および、戻し用管と熱源用戻し管との接続については、単に、嵌合式の継手に接続部を嵌合させるだけで行うことができることとなって、受入用管と熱源用往き管との接続作業、および、戻し用管と熱源用戻し管との接続作業の容易化を図ることができることになる。
【００２１】
請求項４に記載の発明によれば、前記熱媒供給用連通路が、前記ヘッダ本体の上下方向に薄い偏平な受入用空間にて構成され、前記熱媒戻し用連通路が、前記ヘッダ本体の上下方向に薄い戻し用空間にて構成されていることを特徴とする。
【００２２】
すなわち、熱媒供給用連通路および熱媒戻し用連通路を、ヘッダ本体の上下方向に薄いものとすることができるので、ヘッダ本体自体の上下方向での厚みを薄いものとすることができることになる。
そして、このような上下方向での厚みの薄いヘッダ本体であっても、受入用管および戻し用管として、外径がヘッダ本体の上下方向での厚みよりも小さな管を用いることにより、ヘッダ本体よりも受入用管および戻し用管が上方側に突出しない状態で受入用管および戻し用管を配管することができることになる。
したがって、床暖房パネル用熱媒ヘッダにおけるヘッダ本体の上下方向での厚みを薄いものとすることができ、ヘッダ本体の上下方向での厚みが薄い床暖房パネルであっても、その床暖房パネルよりも上方側に突出しない状態で床暖房パネル用熱媒ヘッダを設置することができることとなって、床暖房パネルの薄型化を実現することができることになる。
【００２３】
そして、上下方向での厚みの薄いヘッダ本体においては、請求項１の発明において説明した如く、受入用管や戻し用管を非屈曲状態と屈曲状態に屈曲させるだけで、床暖房パネル用熱媒ヘッダと熱源とを接続することができることによって、樹脂管や樹脂管バンドを使用しなくても、床暖房パネル用熱媒ヘッダと熱源とを接続できることになるので、とくに、有効なものとなる。
【００２４】
説明を加えると、樹脂管を使用する場合には、ヘッダ本体よりも受入用管および戻し用管が上方側に突出しない状態で受入用管および戻し用管を配管するために、熱源機への配管用樹脂管に樹脂管バンドを装着した状態での厚さを、ヘッダ本体の上下方向での厚みよりも小さくする必要がある。
しかしながら、ヘッダ本体の厚さが、一般に使用されている配管用樹脂管に樹脂管バンドの厚さを加えた厚さよりも薄い場合には、使用することになる樹脂管は、その外径が小さな特別なものであり、入手困難であるので、床暖房パネル用熱媒ヘッダの付属品として付けるなどの対処が必要となる。
【００２５】
したがって、樹脂管および樹脂管バンドを使用すると、上述のような不都合が生じることになるが、樹脂管や樹脂管バンドを使用しなくても、床暖房パネル用熱媒ヘッダと熱源とを接続できるので、上述のような不都合が生じることもなく、床暖房パネル用熱媒ヘッダを設置することができることになり、とくに、有効なものとなる。
【００２６】
【発明の実施の形態】
本発明にかかる床暖房パネル用熱媒ヘッダを適応した床暖房パネルを図面に基づいて説明する。
この床暖房パネルは、図１に示すように、熱媒流通管１が埋入状態で配管されている板状基材２からなる床暖房パネル本体３から構成され、その床暖房パネル本体３に蛇行状に配管されている熱媒流通管１に床暖房パネル用熱媒ヘッダ４を介して図外の熱源機から熱媒としての温水を流通させることにより、暖房対象の床を暖房するように構成されている。
そして、床暖房パネル用熱媒ヘッダ４には、４本の熱媒流通管１が接続され、板状基材２に形成された溝部に熱媒流通管１を嵌め込むことにより、熱媒流通管１を埋入状態で配管するように構成されている。
【００２７】
前記熱媒流通管１は、一般的に架橋ポリエチレン管やポリブテン樹脂管などが使用され、接続部のない管から構成され、配管の信頼性を高めるようにしている。
そして、熱媒流通管１の両端は、床暖房パネル用熱媒ヘッダ４に接続され、図外の熱源機から熱媒が床暖房パネル用熱媒ヘッダ４を介して４本の熱媒流通管１のそれぞれに分流して供給され、４本の熱媒流通管１を通過した熱媒が床暖房パネル用熱媒ヘッダ４を介して合流して熱源機に戻されるように構成されている。
【００２８】
前記床暖房パネル本体３は、板状基材２と、熱媒流通管１が配管された状態で板状基材２の上面に設けられる均熱用の表面板５とから構成されている。
そして、板状基材２の材質は、発泡樹脂製のもの、木質製のものや、樹脂製のものなどが適応可能であり、発泡樹脂製のものでは、例えば、硬質のポリスチレン発泡体やポリエスチレン発泡体など各種の発泡体が適応可能であり、発泡体の上面に合成樹脂製の樹脂シート成型体を積層する構成としてもよい。
また、均熱用の表面板５としては、アルミ箔や熱伝導率がよい可撓性の薄い金属などで構成するようにしている。
【００２９】
前記床暖房パネル用熱媒ヘッダ４は、図２〜図４に示すように、板状のブロック体からなるヘッダ本体６から構成され、そのヘッダ本体６の外側面部に、熱源機からの熱媒受入用接続部７、熱源機への熱媒戻し用接続部８、床暖房パネルの熱媒入口に接続される熱媒供給部９、および、床暖房パネルの熱媒出口に接続される熱媒排出部１０が備えられている。
そして、ヘッダ本体６の内部には、熱媒受入用接続部７と熱媒供給部９とを連通接続する熱媒供給用連通路１１、および、熱媒戻し用接続部８と熱媒排出部１０とを連通接続する熱媒戻し用連通路１２が形成されている。
ちなみに、図２は、床暖房パネル用熱媒ヘッダ４の斜視図であり、図３の（イ）は、熱媒供給用連通路１１を示す床暖房パネル用熱媒ヘッダ４の横断面図であり、図３の（ロ）は、熱媒戻し用連通路１２を示す床暖房パネル用熱媒ヘッダ４の横断面図であり、図４は、床暖房パネル用熱媒ヘッダ４の縦断面図である。
【００３０】
説明を加えると、図２に示すように、ヘッダ本体６の外側面部のひとつには、熱媒受入用接続部７と熱媒戻し用接続部８とが並設されている。
そして、図６および図７に示すように、熱媒受入用接続部７に熱源機からの熱源用往き管１７を接続し、熱媒戻し用接続部８に熱源機への熱源用戻し管を接続するように構成されている。
【００３１】
また、ヘッダ本体６の外側面部のうち、熱媒受入用接続部７と熱媒戻し用接続部８とが設けられている側面部に隣接する側面部には、熱媒供給部９の配設位置と熱媒排出部１０の配設位置とが対向する状態で、熱媒供給部９と熱媒排出部１０とがヘッダ本体６の外周方向に交互に並ぶように熱媒供給部９の２つと熱媒排出部１０の２つが配設されている。
そして、図５に示すように、熱媒供給部９に熱媒流通管１の熱媒入口側の端部を接続し、熱媒排出部１０に熱媒流通管１の熱媒出口側の端部を接続するように構成されている。
【００３２】
前記ヘッダ本体６の内部には、図４に示すように、３枚の薄板状体を積層状態で接合することにより、ヘッダ本体６の上下方向に薄く横幅の広い偏平な受入用空間１３と、ヘッダ本体６の上下方向に薄く横幅に広い偏平な戻し用空間１４とが、ヘッダ本体６の上下方向にずらせた状態で区画形成されている。
そして、受入用空間１３は、熱媒受入用接続部７と４つの熱媒供給部９とに連通されて、熱媒供給用連通路１１として構成され、戻し用空間１４は、熱媒戻し用接続部８と熱媒排出部１０とに連通されて、熱媒戻し用連通路１２として構成されている。
【００３３】
前記熱媒受入用接続部７は、ヘッダ本体６の基端部から外方側に延びる受入用管１５を備え、その受入用管１５が、両端部の間の途中部分を直線状とする非屈曲状態と途中部分を９０度またはほぼ９０度屈曲させる屈曲状態とに屈曲可能に構成されている。
前記熱媒戻し用接続部８は、ヘッダ本体６の基端部から外方側に延びる戻し用管１６を備え、その戻し用管１６が、両端部の間の途中部分を直線状とする非屈曲状態と途中部分を９０度またはほぼ９０度屈曲させる屈曲状態とに屈曲可能に構成されている。
【００３４】
すなわち、受入用管１５および戻し用管１６は、その長手方向のいずれの箇所においても屈曲可能な可撓管にて構成され、受入用管１５および戻し用管１６は、ステンレス製のフレキ管にて構成されている。
ちなみに、ステンレス製のフレキ管を用いることにより、受入用管１５および戻し用管１６を錆びにくいものとすることができる。
【００３５】
そして、受入用管１５の端部には、熱源機からの熱源用往き管１７の接続部１８を外周部の凹部１９ａに嵌合させる嵌合式受入用継手１９が設けられ、戻し用管１６の端部にも、熱源機への熱源用戻し管の接続部を外周部の凹部２２ａに嵌合させる嵌合式戻し用継手２２が設けられている。
【００３６】
説明を加えると、嵌合式受入用継手１９の凹部１９ａは、嵌合式受入用継手１９の外周部の全周にわたって形成され、嵌合式戻し用継手２２の凹部２２ａも、嵌合式戻し用継手２２の外周部の全周にわたって形成されている。
そして、熱源用往き管１７の接続部１８には、図６および図７に示すように、嵌合式受入用継手１９の内部に挿入される挿入部１８ａと、その挿入部１８ａを嵌合式受入用継手１９の内部に挿入させることにより嵌合式受入用継手１９の凹部１９ａに嵌合してその嵌合した状態に保持する保持部１８ｂとが備えられている。
また、図示はしないが、熱源用戻し管の接続部にも、嵌合式戻し用継手２２の内部に挿入される挿入部と、その挿入部を嵌合式戻し用継手２２の内部に挿入させることにより嵌合式戻し用継手２２の凹部２２ａに嵌合してその嵌合した状態に保持する保持部とが備えられている。
【００３７】
以下、床暖房パネル用熱媒ヘッダ４と熱源機との接続について説明を加える。
ちなみに、床暖房パネル本体３と床暖房パネル用熱媒ヘッダ４との接続については、工場などで床暖房パネルを組み立てる際に行われ、熱媒供給部９に熱媒流通管１の熱媒入口側の端部を接続し、熱媒排出部１０に熱媒流通管１の熱媒出口側の端部を接続して、床暖房パネル本体３と床暖房パネル用熱媒ヘッダ４とを接続するようにしている。
【００３８】
このように既に接続されている床暖房パネル本体３と床暖房パネル用熱媒ヘッダ４とを暖房対象の床面に敷設して、床暖房パネル用熱媒ヘッダ４と熱源機との接続を行うようにしている。
そして、暖房対象の部屋の床下に配管されている熱源用往き管１７および熱源用戻し管と接続するように、床下配管にて床暖房パネル用熱媒ヘッダ４と熱源機とを接続する。
【００３９】
以下、床下配管について説明を加えると、図５および図６に示すように、受入用管１５を床面の孔部２３に挿入できるように、受入用管１５を屈曲させて、床面の孔部２３に受入用管１５を挿入することにより、受入用管１５を床下に落とし込む。
そして、熱源用往き管１７の接続部１８の近くまで受入用管１５を配管させて、熱源用往き管１７の接続部１８を嵌合式受入用継手１９に嵌合させることにより、受入用管１５と熱源用往き管１７とを接続する。
また、戻し用管１６と熱源用戻し管との接続については、図示はしないが、受入用管１５と熱源用往き管１７との接続と同様にして、戻し用管１６を屈曲させて、床面の孔部２３に戻し用管１６を挿入することにより、戻し用管１６を床下に落とし込んで、熱源用戻し管の接続部の近くまで戻し用管１６を配管させて、熱源用戻し管の接続部を嵌合式戻し用継手２２に嵌合させることにより、戻し用管１６と熱源用戻し管とを接続する。
【００４０】
そして、暖房対象の床面に存在する障害物によって、床暖房パネル用熱媒ヘッダ４と床面の孔部２３との距離が一定ではなくても、受入用管１５および戻し用管１６を屈曲させる箇所および屈曲させる角度を変更することにより、受入用管１５および戻し用管１６を床面の孔部２３に挿入できるように、受入用管１５および戻し用管１６を屈曲させることができることになる。
したがって、床暖房パネル用熱媒ヘッダ４を設置する設置状況に応じて、受入用管１５および戻し用管１６を屈曲させる箇所や屈曲させる角度を自由に変更するだけで対応することができることとなって、設置作業を容易なものとしながら、設置状況の変化に対応することができることになる。
【００４１】
また、暖房対象の部屋の壁部側に熱源用往き管１７および熱源用戻し管が配管されていると、床下配管ではなく、床上配管にて床暖房パネル用熱媒ヘッダ４と熱源機とを接続するので、以下、床上配管について説明を加える。
すなわち、図７に示すように、受入用管１５を非屈曲状態にすることにより、部屋の壁部の内部に配管されている熱源用往き管１７の接続部１８の近くまで受入用管１５を配管させて、熱源用往き管１７の接続部１８を嵌合式受入用継手１９に嵌合させることにより、受入用管１５と熱源用往き管１７とを接続する。
また、戻し用管１６と熱源用戻し管との接続については、図示はしないが、受入用管１５と熱源用往き管１７との接続と同様にして、戻し用管１６を非屈曲状態にして、熱源用戻し管の接続部の近くまで戻し用管１６を配管させて、熱源用戻し管の接続部を嵌合式戻し用継手２２に嵌合させることにより、戻し用管１６と熱源用戻し管とを接続する。
【００４２】
〔別実施形態〕
（１）上記実施形態では、受入用管１５の端部に嵌合式受入用継手１９を設け、戻し用管１６の端部に嵌合式戻し用継手２２を設け、嵌合式の継手を用いて、受入用管１５と熱源用往き管１７との接続、および、戻し用管１６と熱源用戻し管との接続を行うようにしているが、受入用管１５と熱源用往き管１７との接続、および、戻し用管１６と熱源用戻し管との接続を行うために用いる継手は適宜変更が可能である。
例えば、図８に示すように、受入用管１５の端部および戻し用管１６の端部に、熱源用往き管１７や熱源用戻し管２５を外嵌させるタケノコ式の継手２４を設けて、このタケノコ式の継手２４を用いて、受入用管１５と熱源用往き管１７との接続、および、戻し用管１６と熱源用戻し管２５との接続を行うようにして実施することが可能である。
ちなみに、床上配管を行う場合には、図８に示すように、タケノコ式の継手２４が備えられている床暖房パネルヘッダ４を用いて、床暖房パネル用熱媒ヘッダ４と熱源機とを接続するようにしている。
【００４３】
（２）上記実施形態では、受入用管１５および戻し用管１６を、その長手方向のいずれの箇所においても屈曲可能な可撓管にて構成しているが、このような可撓管に限らず、両端部の間の途中部分を直線状態とする非屈曲状態と途中部分を９０度またはほぼ９０度屈曲させる屈曲状態とに屈曲可能な管を、受入用管１５および戻し用管１６として実施することも可能である。
【００４４】
（３）上記実施形態では、受入用管１５および戻し用管１６をステンレス製のフレキ管にて構成しているが、例えば、銅製のフレキ管や軟質銅管にて受入用管１５および戻し用管１６として実施することも可能であり、受入用管１５および戻し用管１６の材質については適宜変更が可能である。
【００４５】
（４）上記実施形態では、熱媒供給用連通路１１を、ヘッダ本体６の上下方向に薄く横幅の広い偏平な受入用空間１３にて構成し、熱媒戻し用連通路１２を、ヘッダ本体６の上下方向に薄く横幅に広い偏平な戻し用空間１４にて構成しているが、熱媒供給用連通路１１や熱媒戻し用連通路１２の形状については適宜変更が可能である。
また、熱媒供給用連通路１１や熱媒戻し用連通路１２の数は、ひとつに限らず、複数設けて実施することも可能である。
【００４６】
（５）上記実施形態では、熱媒供給部９と熱媒排出部１０を４つずつ設けているが、熱媒供給部９と熱媒排出部１０の数については適宜変更が可能である。
【図面の簡単な説明】
【図１】床暖房パネルと床暖房パネル用熱媒ヘッダとの平面図
【図２】床暖房パネル用熱媒ヘッダの斜視図
【図３】床暖房パネル用熱媒ヘッダの横断面図
【図４】床暖房パネル用熱媒ヘッダの縦断面図
【図５】床下配管における床暖房パネル用熱媒ヘッダと熱源機との接続を示す図
【図６】床下配管における床暖房パネル用熱媒ヘッダと熱源機との接続を示す図
【図７】床上配管における床暖房パネル用熱媒ヘッダと熱源機との接続を示す図
【図８】別実施形態における床暖房パネル用熱媒ヘッダの一部と熱源用往き管および熱源用戻し管との接続を示す説明図
【図９】従来技術における床暖房パネル用熱媒ヘッダの斜視図
【図１０】従来技術における床下配管を示す説明図
【図１１】従来技術における床上配管を示す説明図
【符号の説明】
６              ヘッダ本体
７              熱媒受入用接続部
８              熱媒戻し用接続部
９              熱媒供給部
１０            熱媒排出部
１１            熱媒供給用連通路
１２            熱媒戻し用連通路
１５            受入用管
１６            戻し用管
１７            熱源用往き管
１９            嵌合式受入用継手
２２            嵌合式戻し用継手
【図１】
2004332957.tif 000003
【図２】
2004332957.tif 000004
【図３】
2004332957.tif 000005
【図４】
2004332957.tif 000006
【図５】
2004332957.tif 000007
【図６】
2004332957.tif 000008
【図７】
2004332957.tif 000009
【図８】
2004332957.tif 000010
【図９】
2004332957.tif 000011
【図１０】
2004332957.tif 000012
【図１１】
2004332957.tif 000013